(57)【要約】      （修正有）【課題】輝度フィルタが配置されたホワイト画素を有する撮像素子を備え、ダイナミックレンジを拡大することができる撮像装置、該撮像装置の駆動方法、画像生成装置及び画像生成方法を提供する。【解決手段】マトリクス状に配列された赤のフィルタを有するＲ画素と、緑のフィルタを有するＧ画素と、青のフィルタを有するＢ画素と、輝度フィルタを有するＷ画素とのそれぞれから信号電荷を取得して、カラー画像を生成する撮像装置であって、Ｗ画素からの撮像信号電荷量と所定の閾値と比較する飽和検出手段と、Ｗ画素から検出した信号電荷量が閾値以下である領域では、Ｒ画素とＧ画素とＢ画素とＷ画素から信号電荷を取得してカラー画像を生成するとともに、Ｗ画素から検出した信号電荷量が閾値を超える領域では、該Ｗ画素からの信号電荷を取得せず、Ｒ画素とＧ画素とＢ画素の信号電荷を取得して画像を生成するように制御する駆動部を備える。【選択図】図５
2009118430.tif 000002
【特許請求の範囲】
【請求項１】
赤，緑，青のフィルタと輝度フィルタとがマトリクス状に配列されたカラーフィルタと、
前記赤のフィルタを有するＲ画素と、前記緑のフィルタを有するＧ画素と、前記青のフィルタを有するＢ画素と、前記輝度フィルタを有するＷ画素とのそれぞれから信号電荷を取得して、カラー画像を生成する撮像装置であって、
撮像時に、前記Ｗ画素から信号電荷量を検出し、該信号電荷量と所定の閾値とを比較する飽和検出手段と、
出力する画像において、前記Ｗ画素から検出した前記信号電荷量が前記閾値以下である領域では、前記Ｒ画素と前記Ｇ画素と前記Ｂ画素と前記Ｗ画素から信号電荷を取得してカラー画像を生成するとともに、前記Ｗ画素から検出した前記信号電荷量が前記閾値を超える領域では、該Ｗ画素からの信号電荷を取得せず、前記Ｒ画素と前記Ｇ画素と前記Ｂ画素の信号電荷を取得して画像を生成するように制御する駆動部を備えていることを特徴とする撮像装置。
【請求項２】
赤，緑，青のフィルタと輝度フィルタとがマトリクス状に配列されたカラーフィルタと、
前記赤のフィルタを有するＲ画素と、前記緑のフィルタを有するＧ画素と、前記青のフィルタを有するＢ画素と、前記輝度フィルタを有するＷ画素とのそれぞれから信号電荷を取得して、カラー画像を生成する撮像装置の駆動方法であって、
撮像時に、前記Ｗ画素から信号電荷量を検出し、該信号電荷量と所定の閾値とを比較し、
出力する画像において、前記Ｗ画素から検出した前記信号電荷量が前記閾値以下である領域では、前記Ｒ画素と前記Ｇ画素と前記Ｂ画素と前記Ｗ画素から信号電荷を取得してカラー画像を生成するとともに、前記Ｗ画素から検出した前記信号電荷量が前記閾値を超える領域では、該Ｗ画素からの信号電荷を取得せず、前記Ｒ画素と前記Ｇ画素と前記Ｂ画素の信号電荷を取得して画像を生成するように制御することを特徴とする撮像装置の駆動方法。
【請求項３】
赤，緑，青のフィルタと輝度フィルタとがマトリクス状に配列されたカラーフィルタと、
前記赤のフィルタを有するＲ画素と、前記緑のフィルタを有するＧ画素と、前記青のフィルタを有するＢ画素と、前記輝度フィルタを有するＷ画素とのそれぞれから信号電荷を取得して、カラー画像を生成する画像生成装置であって、
前記Ｗ画素から信号電荷量を検出し、該信号電荷量と所定の閾値とを比較する飽和検出手段と、
出力する画像において、前記Ｗ画素から検出した前記信号電荷量が前記閾値以下である領域では、前記Ｒ画素と前記Ｇ画素と前記Ｂ画素と前記Ｗ画素から信号電荷を取得してカラー画像を生成するとともに、前記Ｗ画素から検出した前記信号電荷量が前記閾値を超える領域では、該Ｗ画素からの信号電荷を用いずに、前記Ｒ画素と前記Ｇ画素と前記Ｂ画素の信号電荷を用いて画像を生成するデジタル信号処理部を備えていることを特徴とする画像生成装置。
【請求項４】
赤，緑，青のフィルタと輝度フィルタとがマトリクス状に配列されたカラーフィルタと、
前記赤のフィルタを有するＲ画素と、前記緑のフィルタを有するＧ画素と、前記青のフィルタを有するＢ画素と、前記輝度フィルタを有するＷ画素とのそれぞれから信号電荷を取得して、カラー画像を生成する画像生成方法であって、
前記Ｗ画素から信号電荷量を検出し、該信号電荷量と所定の閾値とを比較し、
出力する画像において、前記Ｗ画素から検出した前記信号電荷量が前記閾値以下である領域では、前記Ｒ画素と前記Ｇ画素と前記Ｂ画素と前記Ｗ画素から信号電荷を取得してカラー画像を生成するとともに、前記Ｗ画素から検出した前記信号電荷量が前記閾値を超える領域では、該Ｗ画素からの信号電荷を用いず、前記Ｒ画素と前記Ｇ画素と前記Ｂ画素の信号電荷を用いて画像を生成するように制御することを特徴とする画像生成方法。
【発明の詳細な説明】
【技術分野】
【０００１】
本発明は、撮像装置、該撮像装置の駆動方法、画像生成装置及び画像生成方法に関する。
【背景技術】
【０００２】
下記特許文献１に示す撮像装置は、ＣＣＤやＣＭＯＳ等の撮像素子を備えた撮像部によって画素毎に信号電荷を取得し、撮像素子には、ＲＧＢの色情報を取得するためのフィルタと輝度情報を取得するための輝度フィルタとを配列するカラーフィルタが設けられている。このような、カラーフィルタ配列を有する撮像素子によれば、輝度フィルタが配置された画素、所謂、ホワイト画素の感度が通常のカラーフィルタに対応するＲＧＢ画素の感度に比べて２倍程度大きいため、ＲＧＢ及びＷ（ホワイト）画素を用いた画像処理アルゴリズムを用いることで、輝度ノイズを大幅に低減させることができる効果がある。
【０００３】
【特許文献１】米国特許出願公開第２００７／００２４９３１号明細書
【特許文献２】特開２００３−１９９１１７号公報
【発明の開示】
【発明が解決しようとする課題】
【０００４】
上記構成の撮像装置で撮像を行う場合、撮影するシーンには高輝度部分と低輝度部分との両方が含まれていることがある。このとき、高輝度部分の光量が撮像素子のいずれかの色又はホワイト画素のフォトダイオード容量を超える電子を生成するような場合に、高輝度部分の色を「白」に固定する、所謂、ホワイトクリップ処理が行われる。すると、その際に撮影したシーンのダイナミックレンジはホワイト画素がクリップされていない領域となる。ホワイトクリップ処理が高画質で撮像するためには望ましいものではなく、高輝度部分を含む画像をより高画質で生成するために拡大したいという要望があった。
【０００５】
上記特許文献２は、可視光の感度がブルーフィルタよりも小さいグレイフィルタが配置されたグレイ画素を有する撮像素子であって、グレイ画素の出力信号を用いて各ＲＧＢ信号を算出する構成であるが、感度の高いホワイト画素を用いた構成においてダイナミックレンジを拡大する手段については記載されていない。
【０００６】
本発明は、上記事情に鑑みてなされたもので、その目的は、輝度フィルタが配置されたホワイト画素を有する撮像素子を備え、ダイナミックレンジを拡大することができる撮像装置、該撮像装置の駆動方法、画像生成装置及び画像生成方法を提供することにある。
【課題を解決するための手段】
【０００７】
本発明の上記目的は、下記構成によって達成される。
（１）赤，緑，青のフィルタと輝度フィルタとがマトリクス状に配列されたカラーフィルタと、
前記赤のフィルタを有するＲ画素と、前記緑のフィルタを有するＧ画素と、前記青のフィルタを有するＢ画素と、前記輝度フィルタを有するＷ画素とのそれぞれから信号電荷を取得して、カラー画像を生成する撮像装置であって、
撮像時に、前記Ｗ画素から信号電荷量を検出し、該信号電荷量と所定の閾値と比較する飽和検出手段と、
出力する画像において、前記Ｗ画素から検出した前記信号電荷量が前記閾値以下である領域では、前記Ｒ画素と前記Ｇ画素と前記Ｂ画素と前記Ｗ画素から信号電荷を取得してカラー画像を生成するとともに、前記Ｗ画素から検出した前記信号電荷量が前記閾値を超える領域では、該Ｗ画素からの信号電荷を取得せず、前記Ｒ画素と前記Ｇ画素と前記Ｂ画素の信号電荷を取得して画像を生成するように制御する駆動部を備えていることを特徴とする撮像装置。
（２）赤，緑，青のフィルタと輝度フィルタとがマトリクス状に配列されたカラーフィルタと、
前記赤のフィルタを有するＲ画素と、前記緑のフィルタを有するＧ画素と、前記青のフィルタを有するＢ画素と、前記輝度フィルタを有するＷ画素とのそれぞれから信号電荷を取得して、カラー画像を生成する撮像装置の駆動方法であって、
撮像時に、前記Ｗ画素から信号電荷量を検出し、該信号電荷量と所定の閾値と比較し、
出力する画像において、前記Ｗ画素から検出した前記信号電荷量が前記閾値以下である領域では、前記Ｒ画素と前記Ｇ画素と前記Ｂ画素と前記Ｗ画素から信号電荷を取得してカラー画像を生成するとともに、前記Ｗ画素から検出した前記信号電荷量が前記閾値を超える領域では、該Ｗ画素からの信号電荷を取得せず、前記Ｒ画素と前記Ｇ画素と前記Ｂ画素の信号電荷を取得して画像を生成するように制御することを特徴とする撮像装置の駆動方法。
（３）赤，緑，青のフィルタと輝度フィルタとがマトリクス状に配列されたカラーフィルタと、
前記赤のフィルタを有するＲ画素と、前記緑のフィルタを有するＧ画素と、前記青のフィルタを有するＢ画素と、前記輝度フィルタを有するＷ画素とのそれぞれから信号電荷を取得して、カラー画像を生成する画像生成装置であって、
前記Ｗ画素から信号電荷量を検出し、該信号電荷量と所定の閾値とを比較する飽和検出手段と、
出力する画像において、前記Ｗ画素から検出した前記信号電荷量が前記閾値以下である領域では、前記Ｒ画素と前記Ｇ画素と前記Ｂ画素と前記Ｗ画素から信号電荷を取得してカラー画像を生成するとともに、前記Ｗ画素から検出した前記信号電荷量が前記閾値を超える領域では、該Ｗ画素からの信号電荷を用いずに、前記Ｒ画素と前記Ｇ画素と前記Ｂ画素の信号電荷を用いて画像を生成するデジタル信号処理部を備えていることを特徴とする画像生成装置。
（４）赤，緑，青のフィルタと輝度フィルタとがマトリクス状に配列されたカラーフィルタと、
前記赤のフィルタを有するＲ画素と、前記緑のフィルタを有するＧ画素と、前記青のフィルタを有するＢ画素と、前記輝度フィルタを有するＷ画素とのそれぞれから信号電荷を取得して、カラー画像を生成する画像生成方法であって、
前記Ｗ画素から信号電荷量を検出し、該信号電荷量と所定の閾値とを比較し、
出力する画像において、前記Ｗ画素から検出した前記信号電荷量が前記閾値以下である領域では、前記Ｒ画素と前記Ｇ画素と前記Ｂ画素と前記Ｗ画素から信号電荷を取得してカラー画像を生成するとともに、前記Ｗ画素から検出した前記信号電荷量が前記閾値を超える領域では、該Ｗ画素からの信号電荷を用いず、前記Ｒ画素と前記Ｇ画素と前記Ｂ画素の信号電荷を用いて画像を生成するように制御することを特徴とする画像生成方法。
【０００８】
本発明によれば、出力する画像において、Ｗ画素から検出した信号電荷量が閾値以下である領域では、Ｒ画素とＧ画素とＢ画素とＷ画素から信号電荷を取得してカラー画像を生成するとともに、Ｗ画素から検出した信号電荷量が閾値を超える領域では、該Ｗ画素からの信号電荷を取得せず、Ｒ画素とＧ画素とＢ画素の信号電荷を取得して画像を生成する。閾値をＷ画素の飽和信号量に設定すれば、Ｗ画素を含む撮像素子を用いて画像を生成する場合に、ダイナミックレンジを拡大することができる。
【発明の効果】
【０００９】
本発明によれば、輝度フィルタが配置されたホワイト画素を有する撮像素子を備え、ダイナミックレンジを拡大することができる撮像装置、該撮像装置の駆動方法、画像生成装置及び画像生成方法を提供できる。
【発明を実施するための最良の形態】
【００１０】
以下、本発明の実施形態を図面に基づいて詳しく説明する。
図１は、本発明の実施形態の撮像装置の概略構成を示す図である。なお、本実施形態では、撮像装置の一例としてデジタルカメラの構成を用いて説明する。図１の撮像装置は、撮像部１と、アナログ信号処理部２と、Ａ／Ｄ変換部３と、駆動部４と、ストロボ５と、デジタル信号処理部６と、圧縮／伸張処理部７と、表示部８と、システム制御部９と、内部メモリ１０と、メディアインタフェース１１と、記録メディア１２と、操作部１３とを備える。デジタル信号処理部６、圧縮／伸張処理部７、表示部８、システム制御部９、内部メモリ１０、及びメディアインタフェース１１は、システムバス１４に接続されている。
【００１１】
撮像部１は、撮影レンズ等の光学系、及び、ＣＣＤやＣＭＯＳ等の撮像素子２０によって被写体の撮影を行うものであり、アナログの撮像信号を出力する。撮像部１には、撮像素子２０への光の入射の遮断制御を行うメカニカルシャッタも含まれている。アナログ信号処理部２は、撮像部１で得られた撮像信号に所定のアナログ信号処理を施す。Ａ／Ｄ変換部３は、アナログ信号処理部２で処理後のアナログ信号をデジタル信号に変換する。Ａ／Ｄ変換部３の出力は、いわゆるＲＡＷ画像データとしてデジタル信号処理部６に送られる。ＲＡＷ画像データは、撮像部１からの撮像信号の形式のままデジタル化したデジタル画像データである。
【００１２】
撮影に際しては、駆動部４を介して光学系、メカニカルシャッタ、及び撮像素子２０の制御が行われる。撮像素子２０は、操作部１３の一部である２段レリーズボタン（図示せず）の操作による２段レリーズスイッチ（図示せず）のＳ２オンを契機として、所定のタイミングで、駆動部４に含まれるタイミングジェネレータ（図１ではＴＧと記載）からの駆動信号によって駆動される。駆動部４は、システム制御部９によって所定の駆動信号を出力する。
【００１３】
デジタル信号処理部６は、Ａ／Ｄ変換部３からのデジタル画像データに対して、操作部１３によって設定された動作モードに応じたデジタル信号処理を行う。デジタル信号処理部６が行う処理には、黒レベル補正処理（ＯＢ処理）、リニアマトリクス補正処理、ホワイトバランス調整処理、ガンマ補正処理、画像合成処理、同時化処理、及びＹ／Ｃ変換処理等が含まれる。デジタル信号処理部６は、例えばＤＳＰで構成される。
【００１４】
圧縮／伸張処理部７は、デジタル信号処理部６で得られたＹ／Ｃデータに対して圧縮処理を施すとともに、記録メディア１２から得られた圧縮画像データに対して伸張処理を施す。
【００１５】
表示部８は、例えばＬＣＤ表示装置を含んで構成され、撮影されてデジタル信号処理を経た画像データに基づく画像を表示する。記録メディア１２に記録された圧縮画像データを伸張処理して得た画像データに基づく画像の表示も行う。また、撮影時のスルー画像、デジタルカメラの各種状態、操作に関する情報の表示等も可能である。
【００１６】
内部メモリ１０は、例えばＤＲＡＭであり、デジタル信号処理部６やシステム制御部９のワークメモリとして利用される他、記録メディアに１２に記録される撮影画像データを一時的に記憶するバッファメモリや表示部８への表示画像データのバッファメモリとしても利用される。メディアインタフェース１１は、メモリカード等の記録メディア１２との間のデータの入出力を行うものである。
【００１７】
システム制御部９は、所定のプログラムによって動作するプロセッサを主体に構成され、撮影動作を含むデジタルカメラ全体の制御を行う。
【００１８】
操作部１３は、デジタルカメラ使用時の各種操作を行うものであり、レリーズボタン等を含んでいる。
【００１９】
図２は、本実施形態の撮像素子の画素配列を示す図である。撮像素子２０は、図示しないシリコン等の半導体基板に、入射光を光電変換することで信号電荷を生成するフォトダイオード等の光電変換部がマトリクス状に配列されている。半導体基板の光入射側にはカラーフィルタが設けられている。カラーフィルタは、、Ｒ（赤）の波長の光を透過するフィルタと、Ｇ（緑）の波長の光を透過するフィルタと、Ｂ（青）の波長の光を透過するフィルタと、輝度情報を取得するため、全ての波長の光を透過する輝度フィルタとを有し、各フィルタを、半導体基板の受光面に対して平行な２次元方向に配列した構成である。本実施形態は、１つの光電変換部と、該光電変換部に入射した光を透過する一つのフィルタとが１画素を構成している。以下、Ｒのフィルタを有する画素をＲ画素とし、Ｇのフィルタを有する画素をＧ画素とし、Ｂのフィルタを有する画素をＢ画素とし、Ｗのフィルタを有する画素をＷ画素とする。
【００２０】
具体的には、各画素は撮像素子２０の半導体基板の受光領域に垂直方向（図２の上下方向）及び水平方向（図２の左右方向）に並べられている。垂直方向に並べられた画素列のうち、第１画素列（図２では右端の列）は、Ｗ画素、Ｂ画素、Ｗ画素、Ｇ画素、・・・というように、Ｗ画素を挟んでＢ画素とＧ画素とが交互に配列されている。第１画素列に隣り合う第２画素列は、Ｂ画素、Ｗ画素、Ｇ画素、Ｗ画素、・・・というように、第１画素列と同様にＷ画素を挟んでＢ画素とＧ画素とが交互に配列されている。ここで、第１画素列が第２画素列に対して、各画素の位置が垂直方向に一画素分だけずれて配置されている。また、第２画素列に隣り合う第３画素列は、Ｗ画素、Ｇ画素、Ｗ画素、Ｒ画素、・・・というように、Ｗ画素を挟んでＧ画素とＲ画素とが交互に配列されている。第３画素列に隣り合う第４画素列は、Ｇ画素、Ｗ画素、Ｒ画素、Ｗ画素、・・・というように、第１画素列と同様にＷ画素を挟んでＧ画素とＲ画素とが交互に配列されている。ここで、第３画素列が第４画素列に対して、各画素の位置が垂直方向に一画素分だけずれて配置されている。図２に示すように４画素×４画素の画素配列でみた場合に、２画素×２画素からなる画素群が４つ配列され、Ｂ画素とＷ画素とからなる画素群が１つと、Ｒ画素とＷ画素とからなる画素群が１つと、Ｇ画素とＷ画素とからなる画素群が２つとを有している。
【００２１】
図３は、本実施形態の撮像装置の制御系を示す図である。図４は、撮像時に、撮像した画像データの一例を示す図である。
撮像時には、先ず、撮像部１によって被写体を撮像した画像データＤを取得する。画像データＤは、Ｗ画素の信号量を検出するために用いるため、Ｗ画素のみから信号電荷を取得して形成されたモノクロ画像であってもよく、通常のようにＲＧＢ画素とＷ画素とから信号電荷を取得して形成されたカラー画像であってもよい。
【００２２】
図４に示す画像データＤでは、太陽光などの光量が多い領域では、Ｗ画素の信号電荷量の飽和が生じる部分が発生することがある。また、光量が少ない領域では、Ｗ画素の信号電荷量が飽和量より少なくなる。図５は、露光時間又は入射光量に対する各画素に蓄積される信号電荷の変化を示すグラフである。図５に示すように、Ｗ画素が飽和していない領域は、Ｒ画素、Ｇ画素、Ｂ画素、Ｗ画素に蓄積された信号電荷を超えないため、画質の劣化を引き起こすことはない。しかし、一方で、Ｗ画素が飽和している領域では、Ｒ画素、Ｇ画素、Ｂ画素、及び、Ｗ画素で蓄積された信号電荷を読み出すと、信号電荷が生成されやすいＷ画素ではＲＧＢ画素に比べて早い露光時間で飽和信号量に到達し、画質の低下が生じてしまう。しかし、光量が多い領域でＷ画素の信号電荷量の飽和が生じないようにするため、Ｗ画素の信号電荷を用いずにＲＧＢ画素のみで画像を形成しようとすると、光量が少ない領域では、十分な輝度情報を得られず、画質が低下してしまうことが考えられる。
【００２３】
本実施形態では、撮像部１で取得された画像データＤに基づいて、Ｗ画素の信号電荷量を検出し、Ｗ画素の信号電荷量を飽和検出部３１に入力する。飽和検出部３１は、予め設定された所定の閾値（ここでは、Ｗ画素の飽和量に相当する値とした。）と取得したＷ画素の信号電荷量とを比較する。そして、Ｗ画素の信号電荷量と閾値とを比較した結果を含む制御情報を駆動部４に入力する。
【００２４】
駆動部４は、Ｗ画素から検出した信号電荷量が閾値以下である領域では、通常の静止画撮像時と同様に、該Ｗ画素を含む所定の領域内のＲ画素とＧ画素とＢ画素とＷ画素から信号電荷を取得してカラー画像を生成するように撮像部１を制御する。一方で、Ｗ画素から検出した信号電荷量が閾値を超える場合には、該Ｗ画素を含む所定の領域内のＷ画素からの信号電荷を取得せず、Ｒ画素と、Ｇ画素と、Ｂ画素の信号電荷を取得して画像を生成するように撮像部１を制御する。本実施形態では、Ｗ画素から信号電荷を読み出さないで、ＲＧＢ画素のみを転送し、出力アンプから出力する。しかし、駆動部４は、ＲＧＢのみの信号電荷を読み出すように制御する場合には、例えば、Ｗ画素を含む全画素を読み出して、Ｗ画素の信号電荷のみ出力しないではき棄てて、ＲＧＢ画素を転送領域において画素加算してもよい。
【００２５】
つまり、図４及び５に示すように、本実施形態の撮像装置は、Ｗ画素が飽和している領域では、Ｗ画素の信号電荷を用いずにＲＧＢ画素で画像を形成し、Ｗ画素が飽和していない領域では、通常のＲＧＢ画素とＷ画素とから取得した信号電荷を用いて画像を形成する。
【００２６】
図６は、Ｗ画素の信号電荷を用いずにＲＧＢ画素の信号電荷のみを用いた領域の画素の配列を模式的に示す図である。このとき、４画素×４画素のパターンをみたときに２画素×２画素の領域で２画素分のＢ画素を有する画素群と、２画素分のＲ画素を有する画素群と、各々２画素分のＧ画素を有する画素群とで構成される。
【００２７】
本発明の撮像装置の構成によれば、出力する画像において、Ｗ画素から検出した信号電荷量が閾値以下である領域では、Ｒ画素とＧ画素とＢ画素とＷ画素から信号電荷を取得してカラー画像を生成するとともに、Ｗ画素から検出した信号電荷量が閾値を超える領域では、該Ｗ画素からの信号電荷を取得せず、Ｒ画素とＧ画素とＢ画素の信号電荷を取得して画像を生成する。閾値をＷ画素の飽和信号量に設定すれば、Ｗ画素を含む撮像素子を用いて画像を生成する場合に、ダイナミックレンジを拡大することができる。例えば、上記実施形態の画素配列のように、ＲＧＢ画素に対してＷ画素が２倍の感度を持つ場合には、ダイナミックレンジを２倍に拡大することができる。
【００２８】
また、本発明は、上実施形態の構成の撮像装置に限定されず、Ｗ画素から検出した信号電荷量が閾値を超える領域では、該Ｗ画素からの信号電荷を用いずに、Ｒ画素とＧ画素とＢ画素の信号電荷を用いて画像を生成するデジタル信号処理部によってカラー画像を形成する画像生成装置とすることができる。
【図面の簡単な説明】
【００２９】
【図１】本発明の実施形態の撮像装置の概略構成を示す図である。
【図２】撮像素子の画素配列を示す図である。
【図３】撮像装置の制御系を示す図である。
【図４】撮像時に、撮像した画像データの一例を示す図である。
【図５】露光時間又は入射光量に対する各画素に蓄積される信号電荷の変化を示すグラフである。
【図６】Ｗ画素の信号電荷を用いずにＲＧＢ画素の信号電荷のみを用いた領域の画素の配列を模式的に示す図である。
【符号の説明】
【００３０】
１    撮像部
２０    撮像素子
３１    飽和検出部
Ｂ    青（Ｂ）画素
Ｇ    緑（Ｇ）画素
Ｒ    赤（Ｒ）画素
【図１】
2009118430.tif 000003
【図２】
2009118430.tif 000004
【図３】
2009118430.tif 000005
【図４】
2009118430.tif 000006
【図５】
2009118430.tif 000007
【図６】
2009118430.tif 000008